(57)【要約】  【課題】物品の所在を、物品が収納されている収納具、及び該収納具内におけるおおよその位置のレベルで確実に把握する。  【解決手段】アンテナ切替要素たるアンテナ切替装置４ｃ０を介して第１〜第８のアンテナ部４ｃ１〜４ｃ８を順次選択的に機能させ、前記アンテナ切替装置４ｃ０が作動したことを受け物品たる書類に付したＩＣチップ１から物品検知要素たるＩＣタグ読取機４ｃを介して物品識別子を取得し、第１〜第８のアンテナ部４ｃ１〜４ｃ８のうち機能しているものを特定し、呼出信号受付要素たる無線通信機４ｅが受け付けた呼出信号に含まれる物品識別子を前記ＩＣタグ読取機４ｃが取得しているか否かを判定し、判定の結果が「真」であれば、物品存在通知要素たるメインＬＥＤ４ｆ及びブザー４ｈを作動させるとともに、特定されている前記アンテナ部を示す物品位置情報に基づき、物品位置通知要素たるサブＬＥＤ選択装置４ｈ及び第１〜第８のサブＬＥＤ４ｈ１〜４ｈ８のうち物品位置情報に対応するものを作動させる。  【選択図】図３
2006044827.tif 000002
【特許請求の範囲】
【請求項１】
書類等の物品に付され該物品を識別する物品識別子を記憶している物品識別子記憶媒体とともに用いられ、物品を収納する収納空間を有する本体を具備するものであって、
前記物品識別子記憶媒体との交信により物品識別子を含む信号を取得する物品検知要素と、前記物品検知要素に接続され前記物品検知要素と協働して近傍領域に存在する物品の存在を検知する機能を発揮しそれぞれ物品位置情報に対応付けられている複数のアンテナ部と、前記アンテナ部を選択的に機能させるアンテナ切替要素と、検索対象の物品を示す物品識別子を含む呼出信号を受け付ける呼出信号受付要素と、検索対象の物品の存在を通知する物品存在通知信号を発する物品存在通知要素と、検索対象の物品の存在を検知したアンテナ部を示す物品位置情報に基づき該物品が存在する前記領域を通知する物品位置通知信号を発する物品位置通知要素とを利用し、
前記アンテナ切替要素を介して前記アンテナ部を順次選択的に機能させるアンテナ切替手段と、前記アンテナ切替手段が作動したことを受けて前記物品識別子記憶媒体から前記物品検知要素を介して物品識別子を取得する物品識別子取得手段と、機能している前記アンテナ部を特定する収納位置特定手段と、呼出信号受付要素が受け付けた呼出信号に含まれる物品識別子を物品識別子取得手段が取得しているか否かを判定する存在照合手段と、前記存在照合手段による判定の結果が「真」である際に前記物品存在通知要素を作動させる存在通知命令手段と、前記存在照合手段による判定の結果が「真」である際に前記収納位置特定手段により特定されている前記アンテナ部を示す物品位置情報に基づき物品位置通知要素を作動させる位置通知命令手段とを具備することを特徴とする収納具。
【請求項２】
物品の出し入れがあったことを検知する物品出し入れ検知要素と、物品識別子取得手段により取得した物品識別子及び該物品識別子を取得した際に機能しているアンテナ部を示す物品位置情報を含む物品位置識別レコードを記憶する収納物品記憶要素とをさらに利用し、
物品識別子取得手段により取得した物品識別子と該物品識別子を取得した際に機能しているアンテナ部を示す物品位置情報とを含む前記物品位置識別レコードを生成する物品位置識別レコード生成手段を具備するとともに、
物品の出し入れがあったことを前記物品出し入れ検知要素が検知したことを受けて前記アンテナ切替手段及び前記物品識別子取得手段が作動し、
前記存在照合手段は前記呼出信号受付要素が受け付けた呼出信号に含まれる物品識別子と前記収納物品記憶手段に記憶されている物品位置識別レコードに含まれる物品識別子とを照合することを特徴とする請求項１記載の収納具。
【請求項３】
表表紙、裏表紙、及び背表紙を一体に備える表紙体と、物品識別子記憶媒体を前記背表紙に対向する面に付した書類を綴じる機能を有する綴じ具とを具備するとともに、前記背表紙の内面に前記アンテナ部を有することを特徴とする請求項１又は２記載の収納具。
【請求項４】
物品を収納する収納空間を有する箱状の本体と、前記収納空間を隠蔽する蓋体とを具備するとともに、前記本体の内面に前記アンテナ部を有することを特徴とする請求項１又は２記載の収納具。
【請求項５】
前記物品位置通知要素が、前記物品位置情報が示す物品の収納領域近傍にそれぞれ設けられているＬＥＤであることを特徴とする請求項１、２、３又は４記載の収納具。
【請求項６】
収納物品を一定方向に向けて付勢する付勢手段をさらに有することを特徴とする請求項１、２、３、４又は５記載の収納具。
【請求項７】
前記物品検知要素と、前記複数のアンテナ部と、前記アンテナ切替要素と、前記呼出信号受付要素と、前記物品存在通知要素と、前記物品位置通知要素とを具備するとともに、
前記アンテナ切替手段、前記物品識別子取得手段、前記収納位置特定手段、前記存在照合手段、前記存在通知命令手段、及び前記位置通知命令手段としての機能を具備する物品存在通知装置を本体に取り付けてなることを特徴とする請求項１、２、３、４、５又は６記載の収納具。
【請求項８】
書類等の物品に付され該物品を識別する物品識別子を記憶している物品識別子記憶媒体と交信可能であり、物品を収納する収納空間を有する収納具に取付可能なものであって、
前記物品識別子記憶媒体との交信により物品識別子を含む信号を取得する物品検知要素と、前記物品検知要素に接続され前記物品検知要素と協働して近傍領域に存在する物品の存在を検知する機能を発揮しそれぞれ物品位置情報に対応付けられている複数のアンテナ部と、前記アンテナ部を選択的に機能させるアンテナ切替要素と、検索対象の物品を示す物品識別子を含む呼出信号を受け付ける呼出信号受付要素と、検索対象の物品の存在を通知する物品存在通知信号を発する物品存在通知要素と、検索対象の物品の存在を検知したアンテナ部を示す物品位置情報に基づき該物品が存在する前記領域を通知する物品位置通知信号を発する物品位置通知要素とを具備するとともに、
前記アンテナ切替要素を介して前記アンテナ部を順次選択的に機能させるアンテナ切替手段と、前記アンテナ切替手段が作動したことを受けて前記物品識別子記憶媒体から前記物品検知要素を介して物品識別子を取得する物品識別子取得手段と、機能している前記アンテナ部を特定する収納位置特定手段と、呼出信号受付要素が受け付けた呼出信号に含まれる物品識別子を物品識別子取得手段が取得しているか否かを判定する存在照合手段と、前記存在照合手段による判定の結果が「真」である際に前記物品存在通知要素を作動させる存在通知命令手段と、前記存在照合手段による判定の結果が「真」である際に前記収納位置特定手段により特定されている前記アンテナ部を示す物品位置情報に基づき物品位置通知要素を作動させる位置通知命令手段とをさらに具備することを特徴とする物品存在通知装置。
【請求項９】
物品の出し入れがあったことを検知する物品出し入れ検知要素と、物品識別子取得手段により取得した物品識別子及び該物品識別子を取得した際に機能しているアンテナ部を示す物品位置情報を含む物品位置識別レコードを記憶する収納物品記憶要素を具備し、
物品識別子取得手段により取得した物品識別子と該物品識別子を取得した際に機能しているアンテナ部を示す物品位置情報とを含む前記物品位置識別レコードを生成する物品位置識別レコード生成手段をさらに具備するとともに、
物品の出し入れがあったことを前記物品出し入れ検知要素が検知したことを受けて前記アンテナ切替手段及び前記物品識別子取得手段が作動し、
前記存在照合手段は前記呼出信号受付要素が受け付けた呼出信号に含まれる物品識別子と前記収納物品記憶手段に記憶されている物品位置識別レコードに含まれる物品識別子とを照合することを特徴とする請求項８記載の物品存在通知装置。
【発明の詳細な説明】
【技術分野】
【０００１】
本発明は、収納空間に収納した書類等の物品の検索をより確実に行うことができる収納具及び物品存在通知装置に関する発明である。
【背景技術】
【０００２】
従来、書類等の物品を収納する収納具としては、チューブファイルとして周知のファイルや、上方が開放した箱体のボックスファイルが挙げられる（例えば、特許文献１、２参照）。そして、このようなチューブファイルやボックスファイル等のファイルを用いて書類等の物品の整理を行うには、物品をファイル内に収納するとともに、各ファイルに物品の内容を示すタイトルを印字したラベルを付して、ラベルが外部から見える状態で書棚等に収納する態様が広く用いられている。
【特許文献１】特開２００３−３２６８８７号公報
【特許文献２】特開平７−１７２０９２号公報
【発明の開示】
【発明が解決しようとする課題】
【０００３】
ところが、ファイルに収納する物品の量が増え、それに伴いファイル自体の数も増大して、多数のファイルを書棚等に収納する場合に、その管理状態を常に把握しておくことは面倒であり、どのファイルにどの物品を収納したのかを忘れたり分からなくなった場合には、求める物品を検索して得ることが困難になるという不具合が生じる。また、ファイル内の物品の一部を新たなファイルに移し替える等、ファイルと個々の物品との対応関係自体も変化することがありうるが、この場合にファイルと個々の物品との対応関係を誤って記憶した場合にも上述と同様の不具合が起こり得る。
【０００４】
そこで、物品を収納具たるファイルに収納するとともに、ファイルに付したタイトルをラベル印字装置に接続したパソコン等に分類して格納し、各ファイルの管理場所を検索することができる手法が考えられる。
【０００５】
しかし、このようなものであっても、ファイルと個々の物品との関連を忘れてしまった場合には、求める物品に対応するファイルのタイトルがわからないので求める物品を検索することが困難であるという不具合が存在する。
【０００６】
さらに、ファイル等収納具内における物品の位置を知りたいという要望が存在するが、上述したような態様ではあくまで収納具全体に付したラベルのタイトルの管理のみを行うので、このような要望には対応し得ない。
【０００７】
本発明は、このような課題に着目してなされたものであって、その目的とするところは、収納具内に収納した物品の検索を、収納具内の位置のレベルまで確実に行うことができる収納具を提供することにある。
【課題を解決するための手段】
【０００８】
すなわち、本発明に係る収納具は、書類等の物品に付され該物品を識別する物品識別子を記憶している物品識別子記憶媒体とともに用いられ、物品を収納する収納空間を有する本体を具備するものであって、前記物品識別子記憶媒体との交信により物品識別子を含む信号を取得する物品検知要素と、前記物品検知要素に接続され前記物品検知要素と協働して近傍領域に存在する物品の存在を検知する機能を発揮しそれぞれ物品位置情報に対応付けられている複数のアンテナ部と、前記アンテナ部を選択的に機能させるアンテナ切替要素と、検索対象の物品を示す物品識別子を含む呼出信号を受け付ける呼出信号受付要素と、検索対象の物品の存在を通知する物品存在通知信号を発する物品存在通知要素と、検索対象の物品の存在を検知したアンテナ部を示す物品位置情報に基づき該物品が存在する前記領域を通知する物品位置通知信号を発する物品位置通知要素とを利用し、前記アンテナ切替要素を介して前記アンテナ部を順次選択的に機能させるアンテナ切替手段と、前記アンテナ切替手段が作動したことを受けて前記物品識別子記憶媒体から前記物品検知要素を介して物品識別子を取得する物品識別子取得手段と、機能している前記アンテナ部を特定する収納位置特定手段と、呼出信号受付要素が受け付けた呼出信号に含まれる物品識別子を物品識別子取得手段が取得しているか否かを判定する存在照合手段と、前記存在照合手段による判定の結果が「真」である際に前記物品存在通知要素を作動させる存在通知命令手段と、前記存在照合手段による判定の結果が「真」である際に前記収納位置特定手段により特定されている前記アンテナ部を示す物品位置情報に基づき物品位置通知要素を作動させる位置通知命令手段とを具備することを特徴とする。
【０００９】
このようなものであれば、複数のアンテナ部が前記収納空間内において近傍領域に存在する物品に付された物品識別子を順次取得し、前記呼出信号に含まれる物品識別子が付された物品を収納している場合には、物品存在通知手段により該物品の存在自体を通知するとともに、該物品に付された物品識別子を取得した際に機能しているアンテナ部に対応する物品位置情報に基づき物品位置通知要素が作動することにより、該物品の収納空間内におけるおおよその位置を知らせることができる。
【００１０】
加えて、このような収納具の電力消費を抑えることができる態様として、物品の出し入れがあったことを検知する物品出し入れ検知要素と、物品識別子取得手段により取得した物品識別子及び該物品識別子を取得した際に機能しているアンテナ部を示す物品位置情報を含む物品位置識別レコードを記憶する収納物品記憶要素とをさらに利用し、物品識別子取得手段により取得した物品識別子と該物品識別子を取得した際に機能しているアンテナ部を示す物品位置情報とを含む前記物品位置識別レコードを生成する物品位置識別レコード生成手段を具備するとともに、物品の出し入れがあったことを前記物品出し入れ検知要素が検知したことを受けて前記アンテナ切替手段及び前記物品識別子取得手段が作動し、前記存在照合手段は前記呼出信号受付要素が受け付けた呼出信号に含まれる物品識別子と前記収納物品記憶手段に記憶されている物品位置識別レコードに含まれる物品識別子とを照合するものが挙げられる。呼出信号を受け付けるたびごとに前記物品識別子取得手段及び切替手段を作動させる態様の場合、前回の呼出信号から物品の出し入れが行われなかった場合でも前記物品識別子取得手段及び切替手段が作動するが、このようなものであれば、前記物品識別子取得手段及び切替手段は物品の出し入れがあった場合にのみ作動するので、前記物品識別子取得手段及び切替手段を作動させる回数を少なくできるからである。
【００１１】
さらに、物品として書類を収納する場合に好適な態様として、表表紙、裏表紙、及び背表紙を一体に備える表紙体と、物品識別子記憶媒体を前記背表紙に対向する面に付した書類を綴じる機能を有する綴じ具とを具備するとともに、前記背表紙の内面に前記アンテナ部を有するものが挙げられる。
【００１２】
一方、種々の物品を収納する場合に好適な態様として、物品を収納する収納空間を有する箱状の本体と、前記収納空間を隠蔽する蓋体とを具備するとともに、前記本体の内面に前記アンテナ部を有するものが挙げられる。
【００１３】
また、物品の位置をよりわかりやすく知らせることができるようにするための態様として、前記物品位置通知要素が、前記物品位置情報が示す物品の収納領域近傍にそれぞれ設けられているＬＥＤであるものが挙げられる。このようなものであれば、点灯しているＬＥＤの近傍に検索対象の物品が存在するからである。
【００１４】
物品の位置をより正確に知らせることができるようにするための態様として、物品を一定方向に向けて付勢する付勢手段をさらに有するものが挙げられる。このようなものであれば、収納空間内において物品が移動してしまうことを防げるからである。
【００１５】
このような収納具の具体的な態様の一例として、前記物品検知要素と、前記複数のアンテナ部と、前記アンテナ切替要素と、前記呼出信号受付要素と、前記物品存在通知要素と、前記物品位置通知要素とを具備するとともに、前記アンテナ切替手段、前記物品識別子取得手段、前記収納位置特定手段、前記存在照合手段、前記存在通知命令手段、及び前記位置通知命令手段としての機能を具備する物品存在通知装置を本体に取り付けてなるものが挙げられる。このようなものであれば、既存の収納具に物品存在通知装置を後から取り付けてこのような収納具を実現することができる。
【００１６】
また、書類等の物品に付され該物品を識別する物品識別子を記憶している物品識別子記憶媒体と交信可能であり、物品を収納する収納空間を有する収納具に取付可能なものであって、前記物品識別子記憶媒体との交信により物品識別子を含む信号を取得する物品検知要素と、前記物品検知要素に接続され前記物品検知要素と協働して近傍領域に存在する物品の存在を検知する機能を発揮しそれぞれ物品位置情報に対応付けられている複数のアンテナ部と、前記アンテナ部を選択的に機能させるアンテナ切替要素と、検索対象の物品を示す物品識別子を含む呼出信号を受け付ける呼出信号受付要素と、検索対象の物品の存在を通知する物品存在通知信号を発する物品存在通知要素と、検索対象の物品の存在を検知したアンテナ部を示す物品位置情報に基づき該物品が存在する前記領域を通知する物品位置通知信号を発する物品位置通知要素とを具備するとともに、前記アンテナ切替要素を介して前記アンテナ部を順次選択的に機能させるアンテナ切替手段と、前記アンテナ切替手段が作動したことを受けて前記物品識別子記憶媒体から前記物品検知要素を介して物品識別子を取得する物品識別子取得手段と、機能している前記アンテナ部を特定する収納位置特定手段と、呼出信号受付要素が受け付けた呼出信号に含まれる物品識別子を物品識別子取得手段が取得しているか否かを判定する存在照合手段と、前記存在照合手段による判定の結果が「真」である際に前記物品存在通知要素を作動させる存在通知命令手段と、前記存在照合手段による判定の結果が「真」である際に前記収納位置特定手段により特定されている前記アンテナ部を示す物品位置情報に基づき物品位置通知要素を作動させる位置通知命令手段とをさらに具備することを特徴とする物品存在通知装置を利用しても、上述した収納具による主要な効果は得られる。このような物品存在通知装置を物品を収納する収納空間を有する収納具に取り付け、書類等の物品に付され該物品を識別する物品識別子を記憶している物品識別子記憶媒体とともに用いれば上述した収納具と同様の構成を得ることができるからである。
【００１７】
特に、物品の出し入れがあったことを検知する物品出し入れ検知要素と、物品識別子取得手段により取得した物品識別子及び該物品識別子を取得した際に機能しているアンテナ部を示す物品位置情報を含む物品位置識別レコードを記憶する収納物品記憶要素を具備し、物品識別子取得手段により取得した物品識別子と該物品識別子を取得した際に機能しているアンテナ部を示す物品位置情報とを含む前記物品位置識別レコードを生成する物品位置識別レコード生成手段をさらに具備するとともに、物品の出し入れがあったことを前記物品出し入れ検知要素が検知したことを受けて前記アンテナ切替手段及び前記物品識別子取得手段が作動し、前記存在照合手段は前記呼出信号受付要素が受け付けた呼出信号に含まれる物品識別子と前記収納物品記憶手段に記憶されている物品位置識別レコードに含まれる物品識別子とを照合するものであれば、このような物品存在通知装置の電力消費を抑えることができる。
【発明の効果】
【００１８】
本発明に係る収納具及び物品存在通知装置は、複数のアンテナ部が前記収納空間内において近傍領域に存在する物品に付された物品識別子を順次取得し、前記呼出信号に含まれる物品識別子が付された物品を収納している場合には、物品存在通知手段により該物品の存在自体を通知するとともに、該物品に付された物品識別子を取得した際に機能しているアンテナ部に対応する物品位置情報に基づき物品位置通知要素が作動することにより、該物品の収納空間内におけるおおよその位置を知らせることができる。
【発明を実施するための最良の形態】
【００１９】
本発明の第１実施形態を、図面を参照して以下に説明する。
【００２０】
本実施形態に係る収納具たるファイル２は、例えば、以下に述べる物品たる書類を管理する書類管理システムＳＳの一部として使用されるものである。
【００２１】
この書類管理システムＳＳは、図１に概略図を示すように、書類Ｓを識別する物品識別子を記憶した記憶媒体たるＩＣチップ１と、複数の前記ファイル２と、１セットの書類管理装置Ｍとから構成されるものである。
【００２２】
前記ＩＣチップ１は、本実施形態では図２に示すように、物品識別子たる数字を書き換え不能に記憶した記憶部１０１と、電磁波を受信する受信器１０２と、この電磁波を電力に変換する動力変換回路１０４と、前記物品識別子を含む信号を電磁波として発信する発信器１０３とを備えている。また、本実施形態では、前記物品識別子はこのＩＣチップ１に記憶された数字、すなわち図３に示すような数字であり、全てのＩＣチップ１はそれぞれ異なる固有の数字を記憶している。つまり、それぞれの書類Ｓには、全て異なる物品識別子が付与されている。また、本実施形態では、このＩＣチップ１は書類Ｓに確実に付帯されるべく、前記書類管理装置Ｍに用いられ、図４に示すように、書類Ｓに付帯されるタグＴの背面の略中央部に脱離不能に接着している。そして、後述するように、前記物品識別子は、このＩＣチップが付された書類の題名を示す情報である書類情報と対応付けられて図３に示すような書類識別レコードを形成している。
【００２３】
前記ファイル２は、図５に示すように、書類を綴じるバインダ状のファイルとして周知のもの（例えば前記特許文献１記載のもの）と同様の構成を有する本体３と、この本体３に取り付けられる物品存在通知装置４とを具備する。
【００２４】
本体３は、前記図５に示すように、表表紙３１ａと、裏表紙３１ｂと、背表紙３１ｃとを一体に備える表紙体３１を有するとともに、この表紙体３１に取り付けられ、書類を綴じる機能を有する綴じ具３２、及び書類を裏表紙３１ｂ側に付勢する付勢手段たる板バネ３３をさらに有する。
【００２５】
綴じ具３２は、背表紙３１ｃに固定されたベース３２１と、このベース３２１の左右両側に着脱可能に取り付けられた一対の綴じ片たる綴板３２２と、この綴板３２２間に渡って延びる綴じ足たる綴管３２３と、綴板３２２の脱着操作を行う操作部材３２４を具備してなるパイプ綴じ具である。綴管３２３は、一対の綴板３２２の一方に設けられた綴軸（図示略）と、他方に設けられこの綴軸を内部に挿入し得る空洞を有した綴パイプ（図示略）とを上下に一対ずつ設けてなるものである。また、綴板３２２は、ベース３２１の左右両側に支持された一対の軸ピン（図示略）に係脱可能に取り付けられたものである。操作部材３２４は、ベース３２１の左右両側における中央部分に設けた図示しない収容部内に納められていて、前記軸ピン（図示略）の一部を保持しており、この操作部材３２４をベース３２１内に押し込むことで、前記軸ピン（図示略）がその軸線位置を変位し、綴板３２２との係り合わせを解除できるようになっている。すなわち、この操作部材３２４に対して操作を加えることにより、この綴じ具３２は書類の出し入れが可能な開成状態と書類を所定位置に保持する閉成状態とを選択的にとることができる。さらに、ベース３２１は、背表紙３１ｃに設けた図示しない綴じ具取付孔に係り合うベース固定具（図示略）によって、背表紙３１ｃに取り付けられている。
【００２６】
前記物品存在通知装置４は、前記図５、及び分解斜視図である図６に示すように、本実施形態では前記本体３の背表紙３１ｃに取り付けられていて、その内部には、構成を図７に示すように、制御部４ａと、内部メモリ４ｂとを備えている。前記制御部４ａには、ＣＰＵ４ａ１と、入出力インタフェース４ａ２とを備えている。そして、図８の（ａ）に底部の概略斜視図を示すように下端部に受電部４ｚを有し、同図の（ｂ）に示すように、ファイル２を載置する棚Ｔに配置した給電コイルＫから受電部４ｚを介して電力の供給を受けているとともに、供給された電力を二次電池４ｘに蓄えていて、前記給電コイルＫから電力の供給を受けない場合には前記二次電池４ｘに蓄えた電力により作動する。さらに、前記図７に示すように、前記制御部４ａに、ＩＣタグ読取機４ｃと、開閉検知スイッチ４ｄと、無線通信機４ｅと、メインＬＥＤ４ｆと、ブザー４ｇと、サブＬＥＤ選択装置４ｈと、タイマ４ｉとを接続している。
【００２７】
前記内部メモリ４ｂの所定領域には、後述する物品位置識別レコードを図９に示すような態様で記憶する収納物品記憶要素４ｂ１を形成している。
【００２８】
ＩＣタグ読取機４ｃは、所定の帯域の周波数の電磁波をＩＣチップ１に向けて発し、ＩＣチップ１から同帯域の電磁波による物品識別子を含む信号を受け取る周知の構成を有し、請求項中の物品検知要素として機能する。このＩＣタグ読取機４ｃには、本実施形態では第１〜第８のアンテナ部４ｃ１〜４ｃ８をアンテナ切替装置４ｃ０を介して接続している。前記第１〜第８のアンテナ部４ｃ１〜４ｃ８は、前記背表紙３１ｃの内面に設けられ、前記ＩＣタグ読取機４ｃと協働して近傍領域に存在する物品の存在を検知する機能を発揮する。そして、前記第１〜第８のアンテナ部４ｃ１〜４ｃ８は、それぞれ物品が存在する領域を示す物品位置情報Ｌに対応付けられている。なお、物品位置情報Ｌは、本実施形態では前記第１〜第８のアンテナ部４ｃ１〜４ｃ８に付された番号１〜８である。本実施形態では、前記アンテナ切替装置４ｃ０は、制御部４ａから物品位置情報Ｌを受け取り、前記第１〜第８のアンテナ部４ｃ１〜４ｃ８のうち該物品位置情報Ｌに対応するもののみを選択的に作動させるアンテナ切替要素としての機能を有する。
【００２９】
前記開閉検知スイッチ４ｄは、前記本体３の表表紙３１ａの開閉を検知し、請求項中の物品出し入れ検知要素として機能する。すなわち、表表紙３１ａが裏表紙３１ｂと離間した開成状態から表表紙３１ａと裏表紙３１ｂとが略対向する閉成状態への変化を検知して該変化を示す信号を発する。
【００３０】
無線通信機４ｅは、本実施形態では書類管理装置Ｍからの電磁波による信号を受け付ける周知の構成を有する。また、この無線通信機４ｅは、検索対象の物品を示す物品識別子を含む電磁波による呼出信号を受け付ける呼出信号受付要素としての機能を有する。ここで、呼出信号は、図１０に示すように、呼出信号であることを示すヘッダ部及び検索対象の物品を示す物品識別子を少なくとも含む。
【００３１】
メインＬＥＤ４ｆ及びブザー４ｇは、後述する存在照合手段４０６による照合の結果が「真」である場合に存在通知命令手段４０７から命令を受けて作動し、請求項中の物品存在通知要素として機能する。
【００３２】
前記サブＬＥＤ選択装置４ｈには、第１〜第８のサブＬＥＤ４ｈ１〜４ｈ８を接続している。前記第１〜第８のサブＬＥＤ４ｈ１〜４ｈ８は、前記第１〜第８のアンテナ部４ｃ１〜４ｃ８にそれぞれ物品位置情報Ｌを介して対応付けられていて、後述するようにサブＬＥＤ選択装置４ｈが物品位置情報Ｌを受け取って、前記第１〜第８のサブＬＥＤ４ｈ１〜４ｈ８のうち該物品位置情報Ｌに対応するものを点灯させる。これらサブＬＥＤ選択装置４ｈ及び第１〜第８のサブＬＥＤ４ｈ１〜４ｈ８は協働して請求項中の物品位置通知要素として機能する。
【００３３】
前記タイマ４ｉは、前記制御部４ａから作動開始信号を受けて時刻ｔを０にセットする機能、及び時刻ｔを０にセットしてから所定時間ｔ０が経過した時点で所定時間経過信号を前記制御部４ａに発する機能を有する。
【００３４】
そして、前記内部メモリ４ｂの所定領域に記憶した制御プログラムを制御部４ａが実行することにより、機能ブロック図を図１１に示すように、作動命令手段４０１、アンテナ切替手段４０２、物品識別子取得手段４０３、収納位置特定手段４０４、物品位置識別レコード生成手段４０５、存在照合手段４０６、存在通知命令手段４０７、及び位置通知命令手段４０８として機能する。
【００３５】
以下に物品存在通知装置４の各機能ブロックについて図１１を参照しつつ述べる。
【００３６】
作動命令手段４０１は、前記開閉検知スイッチ４ｄからファイル２が閉成状態になったことを示す信号を受け、前記タイマ４ｉに作動開始信号を発して時刻ｔを０にセットするとともに、アンテナ切替手段４０２及び物品識別子取得手段４０３を作動させる命令を発する。また、前記信号を受けてから所定時間ｔ０が経過し、タイマ４ｉから所定時間経過信号が発せられるごとに、再びアンテナ切替手段４０２及び物品識別子取得手段４０３を作動させる命令を発するとともに、前記タイマ４ｉに再び作動開始信号を発して時刻ｔを０にセットする。
【００３７】
アンテナ切替手段４０２は、前記作動命令手段４０１からの命令を受けて収納位置特定手段４０４から物品位置情報Ｌを受け取り、アンテナ切替装置４ｃ０に物品位置情報Ｌを渡して作動させることにより、第１〜第８のアンテナ部４ｃ１〜４ｃ８のうち物品位置情報Ｌに対応するものを機能させる。
【００３８】
物品識別子取得手段４０３は、前記アンテナ切替手段４０２が作動した後に、作動命令手段４０１からの命令により、ＩＣタグ読取機４ｃ及び該ＩＣタグ読取機４ｃに接続された第１〜第８のアンテナ部４ｃ１〜４ｃ８のいずれかを介してファイル２に綴じられている書類に付されたＩＣチップ１から物品識別子を取得する。
【００３９】
収納位置特定手段４０４は、第１〜第８のアンテナ部４ｃ１〜４ｃ８を順次選択的に作動させるべく、作動させるアンテナ部すなわち物品の位置を示す物品位置情報Ｌをアンテナ切替手段４０２に渡すとともに、この物品位置情報Ｌを内部メモリ４ｂの所定領域に記憶している。さらに、前記所定時間ｔ０ごとに物品位置情報Ｌを更新する。
【００４０】
物品位置識別レコード生成手段４０５は、前記物品識別子取得手段４０３が取得した物品識別子と、収納位置特定手段４０４により内部メモリ４ｂの所定領域に記憶している物品位置情報と対応付けて物品位置識別レコードを生成し、図９に示すような態様で収納物品記憶要素４ｂ１に記憶させる。
【００４１】
存在照合手段４０６は、無線通信機４ｅが受信した呼出信号に含まれる物品識別子が前記収納物品記憶要素４ｂ１内に記憶されているか否かを判定し、この判定の結果が「真」であれば存在通知命令手段４０７を作動させるとともに、位置通知命令手段４０８に前記呼出信号に含まれる物品識別子と対応付けられて収納物品記憶要素４ｂ１に記憶されている物品位置情報Ｌを渡して作動させる。
【００４２】
存在通知命令手段４０７は、前記存在照合手段４０６による判定の結果が「真」であれば、メインＬＥＤ４ｆ及びブザー４ｇを作動させる。
【００４３】
位置通知命令手段４０８は、前記存在照合手段４０６による判定の結果が「真」であれば、前記存在照合手段４０６から渡された物品位置情報Ｌに基づき、第１〜第８サブＬＥＤ４ｈ１〜４ｈ８のうち該物品位置情報Ｌに対応するものを発光させる。
【００４４】
一方、書類管理装置Ｍは、前記図１に示すように、本実施形態ではボディ部５と、情報処理装置たるパソコン６とを互いに接続して形成している。これらボディ部５及びパソコン６は、それぞれ別個の電源から電力の供給を受けて作動している。
【００４５】
前記ボディ部５は、図１２に構成を示すように、その内部に制御部５ａと、内部メモリ５ｂと、入出力インタフェース５ｃとを備えている。さらに、前記入出力インタフェース５ｃに、クリップ取付検出センサ５ｄと、ＩＣタグ読取機５ｅと、スキャナ５ｆと、無線通信機５ｇとを接続している。そして、前記内部メモリ５ｂの所定領域に記憶したプログラムを制御部５ａが実行することにより、機能ブロック図を図１３に示すように、物品識別子付加手段５０１、第２物品識別子取得手段５０２、書類名情報取得手段５０３、及び新規書類登録依頼手段５０４として機能する。
【００４６】
パソコン６は、図１４に構成を示すように、ＣＰＵ６ａ、内部メモリ６ｂ、外部記憶装置６ｃ、及び入出力インタフェース６ｄ等を有するとともに、前記入出力インタフェース６ｄには、画面出力装置６ｅ、キーボードやマウス等の入力装置６ｆ等の周辺機器を接続している。さらに、このパソコン６は、前記入出力インタフェース６ｄを介して前記ボディ部５に接続している。また、前記外部記憶装置６ｃの所定領域には、パソコン６をＷｉｎｄｏｗｓ（登録商標）システムとして作動させるプログラム、及び制御プログラムが記憶されている。そして、これらプログラムを前記ＣＰＵ６ａが実行することにより、以上に述べたこのパソコン６を構成するハードウェアが協働して、Ｗｉｎｄｏｗｓ（登録商標）システム及び制御プログラムが作動する。Ｗｉｎｄｏｗｓ（登録商標）システムは、Ｗｉｎｄｏｗｓ（登録商標）ＯＳ及びＷｉｎｄｏｗｓ（登録商標）ファイル管理システムとして周知のものを含み、市販のＷｉｎｄｏｗｓ（登録商標）ＯＳ搭載パソコンにおけるＷｉｎｄｏｗｓ（登録商標）ＯＳの基本機能を有する。一方、制御プログラムは、Ｗｉｎｄｏｗｓ（登録商標）システム上において作動するプログラムであり、機能ブロック図を図１３に示すように、新規書類名解読手段６０１、新規書類登録手段６０２、検索対象特定手段６０３、及び呼出信号送信手段６０４として機能する。
【００４７】
物品識別子付加手段５０１は、タグＴを供給し、物品識別子取得命令を発する。
【００４８】
第２物品識別子取得手段５０２は、物品識別子付加手段５０１からの物品識別子取得命令を受け、前記タグＴに付着したＩＣチップ１からＩＣタグ読取機５ｅを介して物品識別子を取得する。
【００４９】
書類名情報取得手段５０３は、書類の名称の画像情報すなわち書類名の画像情報をスキャナ５ｆを介して取得する。
【００５０】
新規書類登録依頼手段５０４は、前記第２物品識別子取得手段５０２が取得した物品識別子と、前記書類名情報取得手段５０３が取得した書類名の画像情報とを含む図１５に示すような新規書類登録依頼信号を生成し、パソコン６に向けて発する。
【００５１】
新規書類名解読手段６０１は、新規書類登録依頼信号に含まれる書類名の画像情報に基づき、文字情報として書類名を取得する。
【００５２】
新規書類登録手段６０２は、新規書類登録依頼信号に含まれる物品識別子と、前記新規書類名解読手段６０１が取得した書類名とを含む書類識別レコードを生成し、外部記憶装置６ｃの所定領域に形成した主記憶領域６ｃ１に図１６に示すような態様で記憶する。さらに詳述すると、図１７に示すように、前記主記憶領域６ｃ１内には前記収納具識別子に対応付けられたフォルダを形成していて、該収納具識別子が示すフォルダ内に、該収納具識別子が示すファイル２に綴じられた書類を示す物品識別子を記憶している。さらに本実施形態では、外部記憶装置６ｃの主記憶領域６ｃ１内に非収納書類フォルダも形成していて、どのファイル２にも綴じられていない書類を示す物品識別子をこの非収納書類フォルダ内に記憶している。また、前記物品識別子は、該物品識別子が示す書類の題名を示す文字情報である書類名と対をなして書類識別レコードを形成している。
【００５３】
検索対象特定手段６０３は、本実施形態では、外部記憶装置６ｃの所定領域に記憶されている検索対象特定補助画面データに基づき、図１８の（ａ）に示すような検索対象特定補助画面を画面出力装置６ｅを介して可視化表示し、検索対象である書類の書類名に含まれる文字列の入力を促すとともに、書類名に前記文字列を含むものを前記主記憶領域６ｃ１の記憶内容から検索する。また、外部記憶装置６ｃの所定領域に記憶されている検索対象特定画面データと検索結果とに基づき、前記検索結果と対応する書類の検索を促す検索命令ボタンとを画面出力装置６ｅを介して図１８の（ｂ）に示すような検索対象特定画面に可視化表示し、検索対象である書類の選択入力を受け付ける。そして、検索命令ボタンへの入力を受け付け、該検索命令ボタンに対応する書類名を含む物品識別レコードを取得し、該物品識別レコードに含まれる物品識別子から前記呼出信号を生成し、前記呼出信号を呼出信号送信手段６０４に渡す。
【００５４】
呼出信号送信手段６０４は、前記検索対象特定手段６０３により特定された書類を示す物品識別子を含む前記呼出信号を、物品存在通知手段４に向けて発するようにすべくボディ部５の無線通信機５ｇに渡す。
【００５５】
この書類管理システムＳＳに新規に書類を登録する際には、書類を綴じてＩＣチップ１を付帯させ、書類名を登録してＩＣチップ１に記憶している物品識別子と対応付けて前記主記憶領域６ｃ１内に記憶させるようにしている。
【００５６】
このときに行う処理をフローチャートである図１９及び図２０を参照しつつ以下に示す。
【００５７】
まず、ボディ部５においては、図１９に示すように、物品識別子付加手段５０１を介して書類にタグＴを供給し（ＳＴ１０１）、物品識別子取得命令を発する（ＳＴ１０２）。次いで、第２物品識別子取得手段５０２を介して、前記タグＴに付着したＩＣチップ１から物品識別子を取得する（ＳＴ１０３）。さらに、書類名情報取得手段５０３を介して書類名の画像情報を取得し（ＳＴ１０４）、新規書類登録依頼手段５０４を介して新規書類登録依頼信号をパソコン６に向けて発する（ＳＴ１０５）。
【００５８】
一方、パソコン６においては、図２０に示すように、前記新規書類登録依頼信号を受信し（ＳＴ２０１）、該新規書類登録依頼信号に含まれる書類名の画像情報に基づき、新規書類名解読手段６０１を介して文字情報として書類名を取得する（ＳＴ２０２）。それから、新規書類登録手段６０２を介して、前記新規書類登録依頼信号に含まれる物品識別子及び前記書類名を含む物品識別レコードを生成し（ＳＴ２０３）、該物品識別レコードを前記主記憶領域６ｃ１内に記憶する（ＳＴ２０４）。
【００５９】
書類をファイル２に収納する際には、ファイル２の表表紙３１ａ及び綴じ具３２を操作して開成状態にし、書類を出し入れした後、再び表表紙３１ａ及び綴じ具３２を操作して閉成状態にする。ファイル２を閉成状態にすると、開閉検知スイッチ４ｄが作動して、書類存在通知装置４は、書類に付されたＩＣチップ１から物品識別子をＩＣタグ読取機４ｃを介して取得し、書類の位置を示す物品位置情報Ｌに対応付けて内部メモリ４ｂの所定領域に形成した前記収納物品記憶要素４ｂ１に記憶する。この際、書類存在通知装置４が行う処理の流れをフローチャートである図２１及び図２２を参照しつつ述べる。
【００６０】
まず、前記図２１に示すように、前記開閉検知スイッチ４ｄからファイル２が閉成状態になったことを示す信号を受けたか否かを判定する（ＳＴ３０１）。この判定の結果が「偽」であれば、前記信号を受けたか否かを判定するステップを繰り返し行う（ＳＴ３０１）。一方、この判定の結果が「真」であれば、前記収納物品記憶要素４ｂ１の記憶内容を消去し（ＳＴ３０２）、物品位置情報Ｌを１にセットして収納位置特定手段４０４に渡し（ＳＴ３０３）、時刻ｔを０にセットする（ＳＴ３０４）。それから、物品位置情報Ｌの値をアンテナ切替手段４０２に渡し、このアンテナ切替手段４０２を介してアンテナ切替装置４ｃ０を作動させ、第１〜第８のアンテナ部４ｃ１〜４ｃ８のうち物品位置情報Ｌに対応するものを機能させる（ＳＴ３０５）。次いで、物品識別子取得手段４０３を介してＩＣタグ読取機４ｃを作動させ、物品識別子を取得する（ＳＴ３０６）。その後、物品位置識別レコード記憶ルーチンを実行する（ＳＴ３０７）。この物品位置識別レコード記憶ルーチンは、フローチャートを前記図２２に示すように、物品識別子取得手段４０３を介して取得した物品識別子と前記物品位置情報Ｌとを含む物品位置識別レコードを物品位置識別レコード生成手段４０５により生成する（ＳＴ３０７１）。次いで、生成した物品位置識別レコードと同一の物品識別子を含む物品位置識別レコードが前記収納物品記憶要素４ｂ１内に記憶されているか否かを判定し（ＳＴ３０７２）、この判定の結果が「真」である場合には、ステップＳＴ３０６において生成した物品位置識別レコードと一致する物品位置識別レコードを前記収納物品記憶要素４ｂ１内から消去し（ＳＴ３０７３）、生成された物品位置識別レコードを前記収納物品記憶要素４ｂ１内に記憶し（ＳＴ３０７４）、物品位置識別レコード記憶ルーチンを終了する。一方、ステップＳＴ３０７における判定の結果が「偽」である場合には、そのまま生成された物品位置識別レコードを前記収納物品記憶要素４ｂ１内に記憶し（ＳＴ３０７４）、物品位置識別レコード記憶ルーチンを終了する。それから、前記図２１に示すように、時刻ｔを０にセットしてから所定時間ｔ０が経過したか否かを判定し（ＳＴ３０８）、この判定の結果が「偽」であれば、時刻ｔを０にセットしてから所定時間ｔ０が経過したか否かを判定するステップを繰り返し行う（ＳＴ３０８）。一方、ステップＳＴ３０８における判定の結果が「真」であれば、次いで物品位置情報Ｌの値が８であるか否かを判定する（ＳＴ３０９）。この判定の結果が「真」であれば、処理を終了する。一方、ステップＳＴ３０９における判定の結果が「偽」であれば、物品位置情報Ｌの値に１を加え（ＳＴ３１０）、時刻ｔを再び０にセットする（ＳＴ３１１）。そして、アンテナ切替手段４０２を介してアンテナ切替装置４ｃ０を作動させる処理に戻る（ＳＴ３０５）。
【００６１】
さらに、書類を検索して呼び出す際には、利用者は、検索対象特定補助画面を参照しつつ検索対象である書類の書類名に含まれる文字列を入力し、書類名検索ボタンに対する入力を行う。次いで、検索対象特定画面を参照して検索対象である書類を、検索命令ボタンを介して選択入力する。物品管理装置Ｍは、選択入力された書類を示す物品識別子を含む呼出信号を物品存在通知装置４に向けて発信する。物品存在通知装置４は、前記呼出信号を受信して該呼出信号が示す物品識別子を含む物品位置識別レコードが前記収納物品記憶要素４ｂ１内に記憶されている場合、物品存在通知信号及び物品位置通知信号を発する。この際、物品管理装置Ｍが行う処理を、フローチャートである図２３を参照しつつ以下に述べる。
【００６２】
まず、検索対象特定手段６０３が作動し、次のような処理を行う。すなわち、検索対象特定補助画面を可視化表示し、検索対象である書類の書類名に含まれる文字列の入力を促す（ＳＴ４０１）。次いで、書類名検索ボタンが押されたか否かを判定し（ＳＴ４０２）、前記判定の結果が「偽」であれば、書類名検索ボタンに対する入力が行われたか否かを判定するステップに戻る（ＳＴ４０２）。一方、前記判定の結果が「真」であれば、入力された文字列を含む書類名を前記外部記憶装置６ｃの主記憶領域６ｃ１の記憶内容から検索する（ＳＴ４０３）。さらに、検索対象特定画面を可視化表示し、検索対象である書類の選択入力を促す（ＳＴ４０４）。そして、検索命令ボタンに対する入力が行われたか否かを判定し（ＳＴ４０５）、前記判定の結果が「真」であれば、該検索命令ボタンに対応する書類名を含む物品識別レコードを取得し（ＳＴ４０６）、該物品識別レコードに含まれる物品識別子を呼出信号送信手段６０４に渡す（ＳＴ４０７）。呼出信号送信手段６０４は、呼出信号を、物品存在通知手段４に向けて発する（ＳＴ４０８）。一方、前記判定の結果が「偽」であれば、検索命令ボタンが押されたか否かを判定するステップに戻る（ＳＴ４０５）。
【００６３】
一方、呼出信号を受けて、物品存在通知装置４が行う処理を、フローチャートである図２４を参照しつつ以下に述べる。
【００６４】
まず、呼出信号を受信したか否かを判定し（ＳＴ５０１）、この判定の結果が「偽」であれば呼出信号を受信したか否かを判定するステップを繰り返し行う（ＳＴ５０１）。一方、この判定の結果が「真」であれば、前記呼出信号に含まれる物品識別子と一致する物品識別子を含む物品位置識別レコードが収納物品記憶要素４ｂ１に記憶されているか否かを判定する（ＳＴ５０２）。前記判定の結果が「真」であれば、メインＬＥＤ４ｆ及びブザー４ｇを作動させて物品存在通知信号を発し（ＳＴ５０３）、次いで、前記物品識別子に物品位置識別レコードを介して対応付けられて収納物品記憶要素４ｂ１に記憶されている物品位置情報Ｌを位置通知命令手段４０８に渡す（ＳＴ５０４）。そして、位置通知命令手段４０８からサブＬＥＤ選択装置４ｈに物品位置情報Ｌを渡し（ＳＴ５０５）、サブＬＥＤ選択装置４ｈは、第１〜第８のサブＬＥＤ４ｈ１〜４ｈ８のうち物品位置情報Ｌに対応するものを発光させ、存在通知信号を発する（ＳＴ５０６）。そして、処理を終了する。一方、前記判定の結果が「偽」であれば、そのまま処理を終了する。
【００６５】
本実施形態に係るファイル２は、以上のような構成を有し、各機能要素が以上に述べたように作用するので、このファイル２を用いると次のような効果が得られる。
【００６６】
アンテナ切替装置４ｃ０が作動することにより第１〜第８のアンテナ部４ｃ１〜４ｃ８が順次機能して、前記収納空間内において第１〜第８のアンテナ部４ｃ１〜４ｃ８の近傍領域に存在する書類に付された物品識別子をＩＣタグ読取機４ｃを介して順次取得し、前記呼出信号に含まれる物品識別子が付された書類を収納している場合には、物品存在通知手段４０７を介してにより該書類の存在自体を通知するとともに、第１〜第８のアンテナ部４ｃ１〜４ｃ８のうち該書類に付された物品識別子を取得した際に機能しているものに対応する物品位置情報Ｌに基づき、サブＬＥＤ選択装置４ｈが作動して第１〜第８のサブＬＥＤ４ｈ１〜４ｈ８のうち物品位置情報Ｌに対応するものが点灯することにより、該書類の収納空間内におけるおおよその位置を知らせることができる。
【００６７】
前記アンテナ切替手段４０２及び前記物品識別子取得手段４０３を物品の出し入れがあった場合、すなわち前記ファイル開閉検知スイッチ４ｄからファイル２が閉成状態になったことを示す信号が発せられた場合にのみ作動させるようにしているので、呼出信号を受け付けるたびごとに前記アンテナ切替手段４０２及び前記物品識別子取得手段４０３を作動させる態様と比較して前記アンテナ切替手段４０２及び前記物品識別子取得手段４０３を作動させる回数を少なくでき、電力消費を少なくできる。
【００６８】
さらに、表表紙３１ａ、裏表紙３１ｂ、及び背表紙３１ｃを一体に備える表紙体３１と、ＩＣチップ１を前記背表紙３１ｃに対向する面に付した書類を綴じる機能を有する綴じ具３２とを具備するとともに、前記背表紙３１ｃの内面に前記第１〜第８のアンテナ部４ｃ１〜４ｃ８を有するので、物品として書類を収納する場合に、前記第１〜第８のアンテナ部４ｃ１〜４ｃ８が前記ＩＣチップ１に接近し、ＩＣチップ読取機４ｃの電磁波出力を小さくできる。
【００６９】
また、第１〜第８のサブＬＥＤ４ｈ１〜４ｈ８を、前記物品位置情報Ｌを介して対応付けられている第１〜第８のアンテナ部４ｃ１〜４ｃ８の近傍、すなわちこれら第１〜第８のアンテナ部４ｃ１〜４ｃ８の近傍がそれぞれ検知する書類の収納領域の近傍にそれぞれ設けているので、第１〜第８のサブＬＥＤ４ｈ１〜４ｈ８のうち点灯しているものの近傍に検索対象の書類が存在することになり、書類の位置をよりわかりやすく知らせることができる。
【００７０】
そして、本体３に書類を裏表紙３１ｂ側に付勢する板バネ３３を備えているので、収納空間内において書類が移動してしまうことを防ぐことができ、従って書類の位置をより正確に知らせることができる。なお、この板バネ３３は、例えばファイル２に収納能力一杯の書類を綴じることを前提としている場合等には省略してもよい。
【００７１】
次に、本発明の第２実施形態を、図面を参照して以下に説明する。
【００７２】
本実施形態に係る収納具たるファイル１０２は、例えば、以下に述べる被収納物たる書類Ｓを管理する書類管理システムＳＳＳの一部として使用されるものである。
【００７３】
この書類管理システムＳＳＳは、図２５に概略図を示すように、書類Ｓを識別する被収納物識別子を記憶した記憶媒体たるＩＣチップ１と、複数の前記ファイル１０２と、１セットの書類管理装置Ｍとから構成されるものである。
【００７４】
前記ＩＣチップ１及び前記書類管理装置Ｍは、上述した第１実施形態におけるものと同様に構成され、同様に機能するので、詳細な説明は省略する。
【００７５】
前記ファイル１０２は、図２６に示すように、書類を綴じるバインダ状のファイルとして周知のもの（例えば特開２００３−３２６８８７号公報に記載のもの）と同様の構成を有する本体３と、この本体に取り付けられる物品存在通知装置１０４とを具備する。
【００７６】
前記本体３は、上述した第１実施形態におけるものと同様に構成され、同様に機能するので、詳細な説明は省略する。
【００７７】
前記物品存在通知装置１０４は、前記図２６に示すように、本実施形態でも前記本体３の背表紙３１ｃに取り付けられていて、その内部には、構成を図２７に示すように、制御部１０４ａと、内部メモリ１０４ｂとを備えている。前記制御部１０４ａには、ＣＰＵ１０４ａ１と、入出力インタフェース１０４ａ２とを備えている。そして、給電コイルから電力の供給を受けているとともに、電力を二次電池１０４ｘに蓄えていて、前記給電コイルから電力の供給を受けない場合には前記二次電池１０４ｘに蓄えた電力により作動する。さらに、前記図２７に示すように、前記制御部１０４ａに、ＩＣタグ読取機１０４ｃと、無線通信器１０４ｅと、メインＬＥＤ１０４ｆと、ブザー１０４ｇと、サブＬＥＤ選択装置１０４ｈを接続している。
【００７８】
前記無線通信器１０４ｅ、前記メインＬＥＤ１０４ｆ、前記ブザー１０４ｇ、及び前記サブＬＥＤ選択装置１０４ｈは、上述した第１実施形態における同一の名称を有するものと同様に構成され、同様に機能するので、詳細な説明は省略する。
【００７９】
ＩＣタグ読取機１０４ｃは、これも上述した第１実施形態におけるＩＣタグ読取機４ｃと同様に、２．４５ＧＨｚ帯域の周波数の電磁波をＩＣチップ１に向けて発し、ＩＣチップ１から同帯域の電磁波による物品識別子を含む信号を受け取る周知の構成を有し、請求項中の物品検知要素として機能する。このＩＣタグ読取機１０４ｃには、これも上述した第１実施形態におけるＩＣタグ読取機４ｃと同様に、第１〜第８のアンテナ部１０４ｃ１〜１０４ｃ８、及びアンテナ切替装置１０４ｃ０を接続している。前記第１〜第８のアンテナ部１０４ｃ１〜１０４ｃ８は、前記背表紙３１ｃの内面に設けられ、前記ＩＣタグ読取機１０４ｃと協働して近傍領域に存在する物品の存在を検知する機能を発揮する。そして、前記第１〜第８のアンテナ部１０４ｃ１〜１０４ｃ８は、それぞれ物品が存在する領域を示す物品位置情報Ｌに対応付けられている。なお、物品位置情報Ｌは、本実施形態では前記第１〜第８のアンテナ部１０４ｃ１〜１０４ｃ８に付された番号１〜８を値としてとる変数である。前記アンテナ切替装置１０４ｃ０は、前記第１〜第８のアンテナ部１０４ｃ１〜１０４ｃ８を選択的に機能させるアンテナ切替要素としての機能を有する。本実施形態では、このアンテナ切替装置１０４ｃ０は、制御部１０４ａから物品位置情報Ｌを受け取り、前記第１〜第８のアンテナ部１０４ｃ１〜１０４ｃ８のうち該物品位置情報Ｌに対応するもののみを作動させるアンテナ切替要素としての機能を有する。
【００８０】
前記サブＬＥＤ選択装置１０４ｈには、これも上述した第１実施形態におけるサブＬＥＤ選択装置４ｈと同様に、第１〜第８のサブＬＥＤ１０４ｈ１〜１０４ｈ８を接続している。前記第１〜第８のサブＬＥＤ１０４ｈ１〜１０４ｈ８は、前記第１〜第８のアンテナ部１０４ｃ１〜１０４ｃ８にそれぞれ対応付けられていて、後述するようにサブＬＥＤ選択装置１０４ｈが物品位置情報Ｌを受け取って、前記第１〜第８のサブＬＥＤ１０４ｈ１〜１０４ｈ８のうち該物品位置情報Ｌに対応するものを点灯させる。これらサブＬＥＤ選択装置１０４ｈ及び第１〜第８のサブＬＥＤ１０４ｈ１〜１０４ｈ８は協働して請求項中の物品位置通知要素として機能する。
【００８１】
そして、前記内部メモリ１０４ｂの所定領域に記憶した制御プログラムを制御部１０４ａが実行することにより、機能ブロック図を図２８に示すように、作動命令手段１０４０１、アンテナ切替手段１０４０２、物品識別子取得手段１０４０３、収納位置特定手段１０４０４、存在照合手段１０４０６、存在通知命令手段１０４０７、及び位置通知命令手段１０４０８として機能する。
【００８２】
以下に物品存在通知装置１０４の各機能ブロックについて図２８を参照しつつ述べる。
【００８３】
作動命令手段１０４０１は、前記無線通信機１０４ｅから呼出信号を受けた際に、アンテナ切替手段１０４０２及び物品識別子取得手段１０４０３を作動させる命令を発する。また、存在照合手段１０４０６による判定の結果が「偽」であることを示す信号を受けるごとに再びアンテナ切替手段１０４０２及び物品識別子取得手段１０４０３を作動させる命令を発する。
【００８４】
アンテナ切替手段１０４０２及び物品識別子取得手段１０４０３は、上述した第１実施形態におけるアンテナ切替手段４０２及び物品識別子取得手段４０３とそれぞれ同様に構成され、同様に機能するので詳細な説明は省略する。
【００８５】
収納位置特定手段１０４０４は、第１〜第８のアンテナ部１０４ｃ１〜１０４ｃ８を順次選択的に作動させるべく、作動させるアンテナ部すなわち物品の位置を示す物品位置情報Ｌをアンテナ切替手段１０４０２に渡すとともに、この物品位置情報Ｌを内部メモリ１０４ｂの所定領域に記憶している。さらに、存在照合手段１０４０６による判定の結果が「偽」であることを示す信号を受けるごとに物品位置情報Ｌを更新する。
【００８６】
存在照合手段１０４０６は、無線通信機１０４ｅが受信した呼出信号に含まれる物品識別子と一致するものを前記物品識別子取得手段１０４０３が取得しているか否かを判定し、この判定の結果が「真」であれば存在通知命令手段１０４０７を作動させるとともに、位置通知命令手段１０４０８に前記呼出信号に含まれる物品識別子と対応付けられて収納物品記憶要素１０４ｂ１に記憶されている物品位置情報Ｌを渡して作動させる。一方、この判定の結果が「偽」であれば、前記収納位置特定手段１０４０４に物品位置情報Ｌを更新するよう促すとともに、前記作動命令手段１０４０１を作動させる。
【００８７】
存在通知命令手段１０４０７及び位置通知命令手段１０４０８は、上述した第１実施形態における存在通知命令手段４０７及び位置通知命令手段４０８とそれぞれ同様に構成され、同様に機能するので詳細な説明は省略する。
【００８８】
この実施形態において、書類を検索して呼び出す際に、物品管理装置Ｍは、上述した第１実施形態におけるステップＳＴ４０１〜ＳＴ４０８と全く同様の処理を行う。
【００８９】
一方、呼出信号を受けて、物品存在通知装置４が行う処理を、フローチャートである図２９を参照しつつ以下に述べる。
【００９０】
まず、呼出信号を受信したか否かを判定し（ＳＴ７０１）、この判定の結果が「偽」であれば呼出信号を受信したか否かを判定するステップを繰り返し行う（ＳＴ７０１）。一方、この判定の結果が「真」であれば、物品位置情報Ｌを１にセットして収納位置特定手段１０４０４に渡す（ＳＴ７０２）。それから、物品位置情報Ｌの値をアンテナ切替手段１０４０２に渡し、このアンテナ切替手段１０４０２を介してアンテナ切替装置１０４ｃ０を作動させ、第１〜第８のアンテナ部１０４ｃ１〜１０４ｃ８のうち物品位置情報Ｌに対応するものを機能させる（ＳＴ７０３）。次いで、物品識別子取得手段１０４０３を介してＩＣタグ読取機１０４ｃを作動させ、物品識別子を取得する（ＳＴ７０４）。そして、取得した物品識別子の中に前記呼出信号が示す物品識別子が含まれているか否かを判定する（ＳＴ７０５）。前記判定の結果が「真」であれば、メインＬＥＤ１０４ｆ及びブザー１０４ｇを作動させて物品存在通知信号を発し（ＳＴ７０６）、次いで、収納位置特定手段１０４０４が物品位置情報Ｌを位置通知命令手段１０４０８に渡す（ＳＴ７０７）。そして、位置通知命令手段１０４０８からサブＬＥＤ選択装置１０４ｈに物品位置情報Ｌを渡し（ＳＴ７０８）、サブＬＥＤ選択装置１０４ｈは、第１〜第８のサブＬＥＤ１０４ｈ１〜１０４ｈ８のうち物品位置情報Ｌに対応するものを発光させて位置通知信号を発する（ＳＴ７０９）。そして、処理を終了する。一方、前記判定の結果が「偽」であれば、続いて物品位置情報Ｌの値が８未満であるか否かを判定する（ＳＴ７１０）。この判定の結果が「真」であれば、物品位置情報Ｌの値に１を加え（ＳＴ７１１）、アンテナ切替装置１０４ｃ０を作動させるステップに戻る（ＳＴ７０３）。一方、物品位置情報Ｌの値が８以上であれば、そのまま処理を終了する。
【００９１】
このように構成したファイル１０２であっても、第１実施形態において述べたファイル２による効果のうち、前記物品識別子取得手段及び切替手段を物品の出し入れがあった場合にのみ作動させるようにしていることに対応する効果以外は全て得られる。
【００９２】
なお、本発明は以上に述べた実施形態に限られない。
【００９３】
例えば、収納具としては上述した実施形態で述べたような書類を綴じるファイルでなく、図３０に示すように、収納空間を有する本体２００１と、該収納空間を隠蔽する機能を有する蓋体２００２と、上述した実施形態における書類存在通知装置４と同様の構成を有する書類存在通知装置２００３とを具備する箱状の収納具２００を用いてもよい。この場合、例えば、前記蓋体２００２の所定位置及び前記本体２００１の対応位置に物品存在通知手段２００３に接続した電極２００３ａ、２００３ｂをそれぞれ設け、閉成状態においてこれら電極２００３ａ、２００３ｂが互いに接触するように構成するとともに、物品出し入れ検知要素をこれら電極２００３ａ、２００３ｂを利用して形成すればよい。
【００９４】
また、上述した実施形態では、物品存在通知装置４、１０４を既存のファイルと同様の構成を有する本体３に取り付けてなるファイル２、１０２を採用しているが、物品存在通知装置４、１０４に相当する部分を本体３に相当する部分に分離不能に埋め込む態様を採用してももちろんよい。逆に、上述した物品存在通知装置４、１０４を既存のファイル等の収納具に取り付けて、上述した実施形態におけるファイル２、１０２と同様の構成を実現するようにしてももちろんよい。
【００９５】
さらに、例えば図３１の（ａ）に示すように、アンテナ部４ｃ１〜４ｃ８近傍に第１の物品位置通知補助要素４ｈ１０１、例えば物品位置情報Ｌの値を示す数字を記載したものを設けるとともに、同図の（ｂ）に示すように、ファイル２の背表紙の外方に設けた物品存在通知装置４の外面等、ファイル２を棚等に収納した状態において外部に露出する箇所に第２の物品位置通知補助要素４ｈ１０２、例えば検索対象の物品を検知したアンテナ部４ｃ１〜４ｃ８を示す物品位置情報Ｌを受け取り該物品位置情報Ｌの値を示す数字を可視化表示する装置を設け、これら第１及び第２の物品位置通知補助要素４ｈ１０１、４ｈ１０２が協働して利用者に物品のおおよその位置を示す物品位置通知要素として機能する構成を採用してもよい。
【００９６】
加えて、収納具として綴じ具を備えたファイルを用いる際に、前記綴じ具が操作部を有するものであれば、物品出し入れ検知要素として、操作部がファイルの閉成状態においてとる状態へ変化することを検知する接触センサないし物理スイッチ等を、上述した第１実施形態における開閉検知スイッチに替えて採用するようにしてもよい。
【００９７】
さらに、アンテナ部をそれぞれ１つだけ接続したＩＣタグ読取機を複数備え、これら複数のＩＣタグ読取機をアンテナ切替要素たるＩＣタグ読取機選択装置に接続して、前記ＩＣタグ読取機選択装置を作動させることによりアンテナ部を１つだけ接続したＩＣタグ読取機が順次機能するようにする態様も考えられる。この態様において、ＩＣタグ読取機選択装置としては、例えばＩＣタグ読取機それぞれの電源端子に電気的に接続された半導体スイッチ等が考えられる。
【００９８】
また、上述した実施形態において、アンテナ切替装置が動作開始信号のみを受け付け、所定時間ｔ１おきに自立的に機能するアンテナを切り替える構成のものであってもよい。この場合、上述した実施形態における収納位置特定手段に収納位置情報を渡すステップは省略してもよい。さらに、上述した第２実施形態にこのようなアンテナ切替装置を用いる場合は、上述したステップＳＴ７０１とステップＳＴ７０２との間に時刻ｔを０にセットするステップを、また、上述したステップＳＴ７１０とステップＳＴ７１１との間に時刻ｔを０にセットしてから所定時間ｔ１が経過するまで待機するステップ、及び時刻ｔを再び０にセットするステップを行うようにするとよい。
【００９９】
そして、上述した第１実施形態の変形として、物品存在通知装置から収納具たるファイルに収納されている物品たる書類を示す物品識別子を物品管理装置に送信し、物品管理装置が該物品識別子をファイルを示す収納具識別子に対応付けて記憶しておくことが考えられる。さらに、図３２に示すように、呼出信号にファイルを示す収納具識別子を含めるとともに物品存在通知装置に前記収納具識別子を記憶しておき、呼出信号に含まれる収納具識別子と物品存在通知装置に記憶している収納具識別子とが一致する場合に物品存在通知信号及び物品位置通知信号を発するようにすることも考えられる。
【０１００】
これらを具体的に実現する態様の一例を以下に示す。
【０１０１】
この態様においては、物品存在通知装置４は、上述した第１実施形態におけるものと同様の構成を有する。さらに、内部メモリ４ｂの所定領域に前記収納具識別子を記憶する収納具識別子記憶領域４ｂ２を形成している。そして、内部メモリ４ｂの所定領域に記憶されている制御プログラムを制御部４ａが実行することにより、機能ブロック図を図３３に示すように、作動命令手段４０１、アンテナ切替手段４０２、物品識別子取得手段４０３、収納位置特定手段４０４、物品位置識別レコード生成手段４０５、存在照合手段４０６、存在通知命令手段４０７、位置通知命令手段４０８、及び登録依頼信号生成手段４５１として機能する。
【０１０２】
一方、物品管理装置Ｍは、上述した第１実施形態におけるものと同様の構成を有する。ボディ部５は、内部メモリ５ｂの所定領域に記憶されている制御プログラムを制御部５ａが実行することにより、機能ブロック図を図３４に示すように、物品識別子付加手段５０１、第２物品識別子取得手段５０２、書類名情報取得手段５０３、新規書類登録依頼手段５０４、及び第１登録依頼信号受付手段５５１として機能する。また、パソコン６の制御プログラムは、機能ブロック図を前記図３４に示すように、新規書類名解読手段６０１、新規書類登録手段６０２、検索対象特定手段６０３、呼出信号送信手段６０４、第２登録依頼信号受付手段６５１、及び収納内容表示手段６５２として機能する。
【０１０３】
前記作動命令手段４０１、アンテナ切替手段４０２、物品識別子取得手段４０３、収納位置特定手段４０４、物品位置識別レコード生成手段４０５、存在通知命令手段４０７、位置通知命令手段４０８、物品識別子付加手段５０１、第２物品識別子取得手段５０２、書類名情報取得手段５０３、新規書類登録依頼手段５０４、新規書類名解読手段６０１、新規書類登録手段６０２、検索対象特定手段６０３、及び呼出信号送信手段６０４は、上述した第１実施形態におけるものと同様の構成を有し、同様に作動する。
【０１０４】
存在照合手段４０６は、上述した第１実施形態では無線通信機４ｅが受け付けた呼出信号に含まれる物品識別子と収納物品記憶部４ｂ１の記憶内容とを照合しているのに対して、この態様では無線通信機４ｅが受け付けた呼出信号に含まれる収納具識別子と収納具識別子記憶領域４ｂ２の記憶内容とを照合している。その他の機能は上述した第１実施形態におけるものと同様である。
【０１０５】
登録依頼信号生成手段４５１は、前記収納物品記憶要素４ｂ１の記憶内容と収納具識別子記憶領域４ｂ２の記憶内容とに基づき、図３５に示すような登録依頼信号を生成し、無線通信機に対して登録依頼信号を物品管理装置Ｍに送信するよう命令する。
【０１０６】
第１登録依頼信号受付手段５５１は、無線通信機５ｇを介して物品存在通知装置４から送信された登録依頼信号を受け取り、入出力インタフェース５ｃを通して前記登録依頼信号をパソコン６に渡す処理を行う。
【０１０７】
第２登録依頼信号受付手段６５１は、前記ボディ部５から入出力インタフェース６ｄを通して登録依頼信号を受け取り、受け取った登録依頼信号に含まれる収納具識別子が示す主記憶領域６ｃ１内のフォルダの記憶内容と受け取った登録依頼信号とを照合し、前者にのみ存在する物品識別子を含む物品識別レコードを非収納物フォルダに移動させるとともに、後者にのみ存在する物品識別子を含む物品識別レコードを前記収納具識別子が示す主記憶領域６ｃ１内のフォルダ内部に記憶する。
【０１０８】
収納内容表示手段６５２は、受け取った登録依頼信号に含まれる収納具識別子が示す主記憶領域６ｃ１内のフォルダの記憶内容を画面出力装置６ｅにより図３６に示すように可視化表示する。
【０１０９】
物品の出し入れの際、書類存在通知装置４が行う処理の流れをフローチャートである図３７を参照しつつ述べる。
【０１１０】
まず、第１実施形態におけるステップＳＴ３０１〜ＳＴ３１１を同様に行う。次いで、前記ステップＳＴ３０９における判定の結果が「真」である場合には、登録依頼信号生成手段４５１により、前記収納物品記憶要素４ｂ１の記憶内容と収納具識別子記憶領域４ｂ２の記憶内容とに基づき、図に示すような登録依頼信号を生成する（ＳＴ３５１）。そして、無線通信機を介して登録依頼信号を物品管理装置Ｍに送信する（ＳＴ３５２）。
【０１１１】
一方、登録依頼信号を受け取った物品管理装置Ｍは、以下の処理を行う。
【０１１２】
まず、ボディ部５においては、図３８に示すように、無線通信機を介して前記登録依頼信号を受信し（ＳＴ８０１）、受信した登録依頼信号をパソコン６に渡す（ＳＴ８０２）。
【０１１３】
さらに、パソコン６においては、図３９に示すように、まず、入出力インタフェース６ｄを介して前記登録依頼信号を受け取る（ＳＴ８１１）。次いで、受け取った登録依頼信号に含まれる収納具識別子が示すパソコン６のフォルダ内に、前記登録依頼信号に含まれていない物品識別子を含む物品識別レコードが存在するか否かを判定する（ＳＴ８１２）。この判定の結果が「真」であれば、該当する物品識別レコードを非収納物フォルダに移動させる（ＳＴ８１３）。一方、前記判定の結果が「偽」であれば、そのまま次の処理に移る。それから、非収納物フォルダに記憶されている物品識別レコード中の物品識別子のうち、前記登録依頼信号に含まれているものの存在を判定する（ＳＴ８１４）。この判定の結果が「真」であれば、該当する物品識別レコードを登録依頼信号に含まれる収納具識別子に対応するフォルダ内に移動させる（ＳＴ８１５）。そして、収納内容表示手段６５２により前記フォルダの記憶内容を可視化表示する（ＳＴ８１６）。一方、前記判定の結果が「偽」であれば、直ちに収納内容表示手段６５２により登録依頼信号に含まれる収納具識別子に対応するフォルダの記憶内容を可視化表示する（ＳＴ８１６）。
【０１１４】
一方、物品を検索して呼び出す場合、物品管理装置Ｍ側においては収納具識別子を呼出信号に含める以外、上述した第１実施形態と同様の処理を行う。
【０１１５】
物品存在通知装置４においては、図４０に示すように、まず、呼出信号を受信したか否かを判定し（ＳＴ５０１）、この判定の結果が「偽」であれば呼出信号を受信したか否かを判定するステップを繰り返し行う（ＳＴ５０１）。一方、この判定の結果が「真」であれば、収納具識別子一致判定手段４５２を作動させ、前記呼出信号に含まれる収納具識別子と収納具識別子記憶領域４ｂ２の記憶内容とが一致しているか否かの判定を行う（ＳＴ５５２）。前記判定の結果が「真」であれば、メインＬＥＤ４ｆ及びブザー４ｇを作動させて物品存在通知信号を発し（ＳＴ５０３）、次いで、前記物品識別子に物品位置識別レコードを介して対応付けられて収納物品記憶要素４ｂ１に記憶されている物品位置情報Ｌを位置通知命令手段４０８に渡す（ＳＴ５０４）。そして、位置通知命令手段４０８からサブＬＥＤ選択装置４ｈに物品位置情報Ｌを渡し（ＳＴ５０５）、サブＬＥＤ選択装置４ｈは、第１〜第８のサブＬＥＤ４ｈ１〜４ｈ８のうち物品位置情報Ｌに対応するものを発光させ、存在通知信号を発する（ＳＴ５０６）。そして、処理を終了する。一方、前記判定の結果が「偽」であれば、そのまま処理を終了する。
【０１１６】
このような態様を採用すると、物品の出し入れごとに物品存在通知装置４から物品管理装置Ｍにむけて登録依頼信号が発せられ、物品管理装置Ｍが登録依頼信号に基づき物品識別子と収納具識別子を対応付けて記憶するので、パソコンの中でファイル内の書類をリアルタイムで一覧して把握できる。
【０１１７】
その他、本発明の趣旨を損ねない範囲で種々に変形してよい。
【図面の簡単な説明】
【０１１８】
【図１】本発明の第１実施形態に係る書類管理システムの概略図。
【図２】同実施形態に係るＩＣチップの構成を示す図。
【図３】同実施形態に係る書類識別子、書類情報、及び書類識別レコードを示す概略図。
【図４】同実施形態に係るＩＣチップを接着したタグを示す図。
【図５】同実施形態に係るファイルを示す概略図。
【図６】同実施形態に係るファイルを示す分解斜視図。
【図７】同実施形態に係る物品存在通知装置の機器構成図。
【図８】同実施形態に係る物品存在通知装置への給電の態様を示す図。
【図９】同実施形態に係る物品位置識別レコードの記憶態様を示す概略図。
【図１０】同実施形態に係る呼出信号を示す概略図。
【図１１】同実施形態に係る物品存在通知装置の機能ブロック図。
【図１２】同実施形態に係る書類管理装置のボディ部の機器構成図。
【図１３】同実施形態に係る書類管理装置の機能ブロック図。
【図１４】同実施形態に係るパソコンの機器構成図。
【図１５】同実施形態に係る新規書類登録依頼信号を示す概略図。
【図１６】同実施形態に係る物品識別レコードの記憶態様を示す概略図。
【図１７】同実施形態に係る主記憶領域の内部構成を示す概略図。
【図１８】同実施形態に係る検索対象特定補助画面及び検索対象特定画面を示す概略図。
【図１９】同実施形態に係る書類管理システムに新規に書類を登録する際に書類管理装置のボディ部が行う処理を示すフローチャート。
【図２０】同実施形態に係る書類管理システムに新規に書類を登録する際にパソコンが行う処理を示すフローチャート。
【図２１】同実施形態に係るファイルに書類を出し入れした際に書類存在通知装置が行う処理を示すフローチャート。
【図２２】同実施形態に係るファイルに書類を出し入れした際に書類存在通知装置が行う処理を示すフローチャート。
【図２３】同実施形態において書類を検索して呼び出す際に物品管理装置が行う処理を示すフローチャート。
【図２４】同実施形態において書類を検索して呼び出す際に物品存在通知装置が行う処理を示すフローチャート。
【図２５】本発明の第２実施形態に係る書類管理システムの概略図。
【図２６】同実施形態に係るファイルを示す概略図。
【図２７】同実施形態に係る物品存在通知装置の機器構成図。
【図２８】同実施形態に係る物品存在通知装置の機能ブロック図。
【図２９】同実施形態において書類を検索して呼び出す際に物品管理装置が行う処理を示すフローチャート。
【図３０】本発明の他の実施形態に係る収納具を示す概略図。
【図３１】本発明の他の実施形態に係るファイルを示す概略図。
【図３２】本発明の他の実施形態に係る呼出信号を示す概略図。
【図３３】同実施形態に係る物品存在通知装置の機能ブロック図。
【図３４】同実施形態に係る物品管理装置の機能ブロック図。
【図３５】同実施形態に係る登録依頼信号を示す概略図。
【図３６】同実施形態に係る収納内容表示手段を介した画面出力の内容の一例を示す図。
【図３７】同実施形態に係るファイルに対する物品の出し入れの際に物品存在通知装置が行う処理を示すフローチャート。
【図３８】同実施形態に係るファイルに対する物品の出し入れの際に物品管理装置のボディ部が行う処理を示すフローチャート。
【図３９】同実施形態に係るファイルに対する物品の出し入れの際にパソコンが行う処理を示すフローチャート。
【図４０】同実施形態において書類を検索して呼び出す際に物品管理装置が行う処理を示すフローチャート。
【符号の説明】
【０１１９】
１…ＩＣチップ（物品識別子記憶媒体）
２…ファイル（収納具）
３…本体
３１…表紙体
３１ａ…表表紙
３１ｂ…裏表紙
３１ｃ…背表紙
３２…綴じ具
３３…板バネ（付勢手段）
４…物品存在通知装置
４ｂ１…収納物品記憶部（収納物品記憶要素）
４ｃ…ＩＣタグ読取機（物品検知要素）
４ｃ０…アンテナ切替装置（アンテナ切替要素）
４ｃ１〜４ｃ８…第１〜第８のアンテナ部
４ｄ…開閉検知スイッチ（物品出し入れ検知要素）
４ｅ…無線通信機（呼出信号受付要素）
４ｆ…メインＬＥＤ（物品存在通知要素）
４ｇ…ブザー（物品存在通知要素）
４ｈ…サブＬＥＤ選択装置（物品位置通知要素）
４ｈ１〜４ｈ８…第１〜第８のサブＬＥＤ（物品位置通知要素）
４０２…アンテナ切替手段
４０３…物品識別子取得手段
４０４…収納位置特定手段
４０５…物品位置識別レコード生成手段
４０６…存在照合手段
４０７…存在通知命令手段
４０８…位置通知命令手段
【図１】
2006044827.tif 000003
【図２】
2006044827.tif 000004
【図３】
2006044827.tif 000005
【図４】
2006044827.tif 000006
【図５】
2006044827.tif 000007
【図６】
2006044827.tif 000008
【図７】
2006044827.tif 000009
【図８】
2006044827.tif 000010
【図９】
2006044827.tif 000011
【図１０】
2006044827.tif 000012
【図１１】
2006044827.tif 000013
【図１２】
2006044827.tif 000014
【図１３】
2006044827.tif 000015
【図１４】
2006044827.tif 000016
【図１５】
2006044827.tif 000017
【図１６】
2006044827.tif 000018
【図１７】
2006044827.tif 000019
【図１８】
2006044827.tif 000020
【図１９】
2006044827.tif 000021
【図２０】
2006044827.tif 000022
【図２１】
2006044827.tif 000023
【図２２】
2006044827.tif 000024
【図２３】
2006044827.tif 000025
【図２４】
2006044827.tif 000026
【図２５】
2006044827.tif 000027
【図２６】
2006044827.tif 000028
【図２７】
2006044827.tif 000029
【図２８】
2006044827.tif 000030
【図２９】
2006044827.tif 000031
【図３０】
2006044827.tif 000032
【図３１】
2006044827.tif 000033
【図３２】
2006044827.tif 000034
【図３３】
2006044827.tif 000035
【図３４】
2006044827.tif 000036
【図３５】
2006044827.tif 000037
【図３６】
2006044827.tif 000038
【図３７】
2006044827.tif 000039
【図３８】
2006044827.tif 000040
【図３９】
2006044827.tif 000041
【図４０】
2006044827.tif 000042